(57)【要約】【課題】精細に小型化したチャンネル文字、特にアクリル製チャンネル文字をＬＥＤモジュール方式、ＬＥＤテープライト方式で発光させた場合、ＬＥＤを均一に配置するこができず、発光面に光りの明暗であるムラが顕著にあらわれてしまう。また、筆跡に沿ったプリント基板にＬＥＤ素子を実装した方式では、膨大なコストと納期がかかり、少数多品種の文字やロゴマークに適応できない欠点があった。【解決手段】全並列で矩形方式に配列した回路パターンの表面に均一に小サイズのＬＥＤ素子、裏面に小サイズの抵抗と共通給電ケーブルパッドを配置する。これは、他のＬＥＤ素子に影響せずに任意の形に自由に文字やロゴマークをカットでき、光りの明暗であるムラを解消した理想的なＬＥＤ発光ユニット板である。【選択図】図１
2019114760.tif 000002
【特許請求の範囲】
【請求項１】
プリント基板の表面にＬＥＤ素子を一定間隔で均一的に実装し、裏面には個々のＬＥＤ素子に対応した抵抗パッドと共通給電ケーブルパッドを配置したプリント回路を特徴とするチャンネル文字用のＬＥＤ光源。
【請求項２】
一定間隔で均一的に実装された個々のＬＥＤ素子は、隣接するＬＥＤ素子と干渉することのない全並列に矩形方式で回路設計された構造を特徴とする請求項１に記載のチャンネル文字用のＬＥＤ光源。
【請求項３】
個々のＬＥＤ素子が全並列に矩形方式で回路設計されているため、例えば文字型やマーク型に任意にカットしても、他のＬＥＤ発光に影響を及ぼさない構造を特徴とする請求項２に記載のチャンネル文字用のＬＥＤ光源。
【請求項４】
一定間隔に均一的に実装された個々のＬＥＤ素子は、２２１６サイズまたは、２０１６サイズ以下の小型ＬＥＤ素子を採用した構造を特徴とする請求項１に記載のチャンネル文字用のＬＥＤ光源。
【請求項５】
一定間隔に均一的に実装された個々のＬＥＤ素子間隔は、１０ｍｍピッチ以下に配置された構造を特徴とする請求項４に記載のチャンネル文字用のＬＥＤ光源。
【請求項６】
共通給電ケーブルパットを採用することで、どの給電ケーブルパッドに給電しても、すべてのＬＥＤが発光する構造を特徴とする請求項１に記載のチャンネル文字用のＬＥＤ光源。
【発明の詳細な説明】
【技術分野】
【０００１】  本発明は文字やロゴマークを立体的に形成し、その内部に光源を搭載することで装飾効果の高い看板であるチャンネル文字用のＬＥＤ光源に関する。
より詳しくは、文字やロゴマークの筆跡をスチールやアクリルで立体的に保形させた内部にＬＥＤ光源を施すことで文字正面の姿発光や文字側面ならびに背面の輪郭発光、もしくは文字全体の姿発光に寄与するチャンネル文字用のＬＥＤ光源に関する。
【背景技術】
【０００２】  従来のチャンネル文字の光源としては、蛍光管やネオン管を施した大型の看板や大型のチャンネル文字が主流であった。【０００３】  近年、発光ダイオードの目覚しい発展により、長寿命化、高輝度化、省電力化、さらに小型化からチャンネル文字の光源として、ＬＥＤが一般的に採用されるようになった。【０００４】  チャンネル文字へのＬＥＤ光源の組み込み方法は、フレキシブルな配線で連結されたＬＥＤモジュールやＬＥＤテープライトなどのＬＥＤユニットを手加工で、組み込む方法がある。
または、文字やロゴマークの筆跡と同様なプリント基板にＬＥＤ素子や抵抗パッド、給電ケーブルパッドを表面実装したものを組み込む方法がある。
【先行技術文献】
【特許文献】
【０００５】
【特許文献１】特開２０１１−１６４２３号公報
【発明の概要】
【発明が解決しようとする課題】
【０００６】  しかしながら、上述したように、フレキシブルな配線によりユニット化された光源は、ユニット自体が大きいため、小型化した精細な形状の筆跡には組み込みできない欠点があり、同時に一定間隔で配置できないため、光りの分布である明暗の均一さを確保することができない欠点がある。【０００７】  また、上述したように、文字やロゴマークの筆跡と同様のプリント基板にＬＥＤ素子や抵抗パッド、給電ケーブルパッドを表面実装する場合、その文字筆跡だけの回路設計から製作するため、コストが飛躍的に膨大し、同時に十分な納期が必要になってくる。この製造方法は、小数多品種のチャンネル文字用の光源として適応できない欠点がある。【０００８】本発明は、以上のような背景を元になさたものである。
すなわち、本発明は、小型化したチャンネル文字、特にアクリルチャンネル文字の光源を均一に配置し、少数多品種の文字やロゴマークに対応できることを目的とする。
【課題を解決するための手段】
【０００９】  かくして、本発明者は、このような問題点に対して鋭意研究を重ねた結果、プリント基板に一定間隔で均一的に配置したＬＥＤ素子を全並列に矩形方式で回路設計されたＬＥＤ発光ユニット板を文字やロゴマークの筆跡に姿切りする光源を見出し、この知見に基づいて本発明を完成させたものである。【００１０】  すなわち、本発明は、（１）、プリント基板の表面にＬＥＤ素子を一定間隔で均一的に実装し、裏面には個々のＬＥＤ素子に対応した抵抗パッドと共通給電ケーブルパッドを配置したプリント回路を特徴とするチャンネル文字用のＬＥＤ光源に存する。【００１１】  すなわち、本発明は、（２）、一定間隔で均一的に実装された個々のＬＥＤ素子は、隣接するＬＥＤ素子と干渉することのない全並列に矩形方式で回路設計された構造からなる上記（１）に記載のチャンネル文字用のＬＥＤ光源に存する。【００１２】  すなわち、本発明は、（３）、個々のＬＥＤ素子が全並列に矩形方式で回路設計されているため、例えば文字型やマーク型に任意にカットしても、他のＬＥＤ発光に影響を及ぼさない構造からなる上記（２）に記載のチャンネル文字用のＬＥＤ光源に存する。【００１３】  すなわち、本発明は、（４）、一定間隔に均一的に実装された個々のＬＥＤ素子は、２２１６サイズまたは、２０１６サイズ以下の小型ＬＥＤ素子を採用した構造からなる上記（１）に記載のチャンネル文字用のＬＥＤ光源に存する。【００１４】  すなわち、本発明は、（５）、一定間隔に均一的に実装された個々のＬＥＤ素子間隔は、１０ｍｍピッチ以下に配置された構造からなる上記（４）に記載のチャンネル文字用のＬＥＤ光源に存する。【００１５】  すなわち、本発明は、（６）、共通給電ケーブルパットを採用することで、どの給電ケーブルパッドに給電しても、すべてのＬＥＤが発光する構造からなる上記（１）に記載のチャンネル文字用のＬＥＤ光源に存する。
【発明の効果】
【００１６】  本発明は、装飾効果が高いチャンネル文字の光源において、従来の蛍光管やネオン管方式、または近年のＬＥＤモジュール等のＬＥＤユニット方式では、チャンネル文字の小型化や精細な形状に対応できなかった点を可能にした。すなわち、チャンネル文字用の光源としてのＬＥＤ発光ユニット板を小型で精細な形状の筆跡のどおりにカッティングし、明暗の均一性を損なうことなく、低コストで効率的に製造することを可能にした。
【図面の簡単な説明】
【００１７】
【図１】図１は、二層のプリント基板の表面にＬＥＤ素子を配置（ＬＥＤ素子間隔は１０ｍｍ以下に配置）し、裏面に抵抗パッド及び共通給電ケーブルパッドを配置した断面図である。
【図２】図２は、二層のプリント基板の正面（発光面側）に回路パターンを１０ｍｍピッチで平行配列に設計した回路パターンの正面図である。
【図３】図３は、正面回路パターンの上に、ＬＥＤ素子を実装するパッド（パッドとパッドの間のピッチが１０ｍｍ以内）を印刷した正面図である。
【図４】図４は、２層のプリント基板の裏面に回路パターンを１０ｍｍピッチで平行配列に設計した回路パターンの背面図である。
【図５】図５は、裏面の回路パターンに基づいて、抵抗及び給電ケーブルのパッド（正面のＬＥＤ素子のパッド位置と対応する）を印刷した背面図である。
【図６】図６は、小サイズＬＥＤ素子をプリント回路（正面板）に実装した正面図である。
【図７】図７は、プリント回路の正面にＬＥＤ素子が配置された１つの発光ユニット板になった図である。
【図８】図８は、プリント回路の裏面に抵抗及び共通給電ケーブルバッドが配置された１つの発光ユニット板になった図である。
【図９】図９は、完成された発光ユニット板を要求によって、文字やロゴマークに任意にカットしたイメージ図である。
【発明を実施するための形態】
【００１８】  以下は本発明を実施するための形態について図面を用いて説明する。図１は本発明、チャンネル文字用の光源元のＬＥＤ発光ユニット板の断面図である。
詳しくは、二層のプリント基板の正面にＬＥＤ素子１、を一定間隔に均一に実装し、裏面に抵抗２、及び給電ケーブル用パッド３、４、を配置した断面図ある。
【００１９】  図２は、二層のプリント基板の正面側にＸ軸方向のみに回路パターンを配置した図で、図４は、二層のプリント基板の裏側にＹ軸方向のみに回路パターンを配置した図である。
【００２０】  図２と図４の回路パターンは交差することなく、ブリッジにて回路パターン（プラス）５、回路パターン（マイナス）６、を全並列に矩形方式で線路を配列する。これは、発光ユニット板を任意の位置でカッティングしても隣接するＬＥＤに影響がでないようにするシステム方法である。
【００２１】  図３は、二層のプリント基板の正面に実装されているＬＥＤ素子１、のピッチは１０ｍｍ以内になるように、正面パッドのピッチを印刷する。
【００２２】  図５は、どの給電ケーブルを繋ぐパッド（マイナス）３、給電ケーブルを繋ぐパッド４、から給電しても他の発光ユニットが点灯できる配置からなる。
【００２３】  図６、図７、はＬＥＤ発光ユニット板の正面部より、個々のユニットの配置を示した図である。ＬＥＤ素子１、がユニットごとに実装されている。
【００２４】  図８、はＬＥＤ発光ユニット板の背面部より、個々のユニットの配置を示した図である。抵抗２、給電ケーブルを繋ぐパッド（マイナス）３、給電ケーブルを繋ぐパッド（プラス）４、がユニットごとに実装されている。
図７、図８、は正面のＬＥＤ素子１、と裏面の抵抗２、と給電ケーブルを繋ぐパッド（マイナス）３、４、が１つのユニットを形成する。
【符号の説明】
【００２５】１  ＬＥＤ素子
２  抵抗
３  給電ケーブルを繋ぐパッド（マイナス）
４  給電ケーブルを繋ぐパッド（プラス）
５  回路パターン（プラス）
６  回路パターン（マイナス）
７  プリント回路
【図１】
2019114760.tif 000003
【図２】
2019114760.tif 000004
【図３】
2019114760.tif 000005
【図４】
2019114760.tif 000006
【図５】
2019114760.tif 000007
【図６】
2019114760.tif 000008
【図７】
2019114760.tif 000009
【図８】
2019114760.tif 000010
【図９】
2019114760.tif 000011